(57)【要約】【課題】天板に固定され流体が通過する流路が形成された水栓と、床板から立ち上がる樹脂管とを、床板と天板との間の空間で接続するようにした水栓の配管接続構造において、樹脂管と水栓との接続箇所を少なくして、かつ少ない部品点数により安定した状態で接続できるようにし、施工性の向上を図る。【解決手段】水栓３に剛性の高い金属管２３，２４を接続し、樹脂管２５，２６と金属管２３，２４とを接続することで、樹脂管２５，２６は金属管２３，２４を介して接続し、水栓３の流路１６，１７には流量調節部材１９，１９を装着した。【選択図】　図１
2004019108.tif 000002
【特許請求の範囲】
【請求項１】
天板に固定され流体が通過する流路が形成された水栓と、床板から立ち上がる樹脂管とを、床板と天板との間の空間で接続するようにした水栓の配管接続構造において、前記水栓に剛性の高い金属管を接続し、樹脂管と金属管とを接続することで、樹脂管は金属管を介して水栓に接続し、水栓の流路には流量調節部材を装着したことを特徴とする水栓の配管接続構造。
【請求項２】
前記樹脂管と金属管は、ワンタッチで接続可能なクリップにより結合されることを特徴とする請求項１記載の水栓の配管接続構造。
【請求項３】
前記流量調節部材は、水栓の本体下部に形成された流路に装着し、天板の上部に露出するようにしたことを特徴とする請求項１又は２記載の水栓の配管接続構造。
【発明の詳細な説明】
【０００１】
【発明の属する技術分野】
この発明は、水栓の配管接続構造に関するものである。
【０００２】
【従来の技術】
一般に集合住宅，戸建住宅等において、洗面台，流し台，浴室，トイレ，洗濯機等の水栓へ給水，給湯配管の施工を行なう場合、建物の躯体工事の際に水，湯の各ヘッダーと水栓との間で蛇腹状の鞘管をタコ足状に配設しておき、設備工事の際にこの鞘管内に水，又は湯用の樹脂管を挿通させ、ヘッダーと水栓を接続する鞘管工法が行なわれている。
【０００３】
この鞘管工法により鞘管に樹脂管を挿通し、該樹脂管を床板の上部に立ち上げて床板の上部に配置された継手部材に接続し、該継手部材から水栓へ水又は湯を供給する構造として公知のものに、図４のものがある。この図４について簡単に説明すると、床板４０の下部に配設される樹脂管４３は、先端を垂直方向に折曲させて、床板４０に固定された貫通金具４１を挿通した蛇腹状の鞘管４２に挿通して保護されながら、床上で管継手４４により継手部材４５に接続しており、該継手部材４５はハンドル４６の操作で水又は湯の吐水，止水及び流量調節の可能な流量調節弁４７が収容され、壁４８に固定された固定部材４９に固定されており、樹脂管４３を通過した水又は湯は、継手部材４５から該継手部材４５の上端に接続した樹脂製の供給管５０を介して、トイレ，洗面台，流し台，浴室，洗濯機等の天板５１に固定された水栓５２へ供給されるものである。
【０００４】
上記のものにあっては、樹脂管は貫通金具を挿通するのみで、どこにも支持されていない状態で床上の高い位置で継手部材に接続しており、継手部材は宙に浮いていると安定性が悪く、水又は湯が樹脂管を通過するたびに激しく振動し、異常音を発生することで不快感を与える恐れがある。したがって壁に孔をあけ、継手部材を支持するための固定部材を壁に固定しているが、固定部材を設けると接続部及び部品点数が増加するうえ、わざわざ固定部材を壁に固定する作業が必要になり、施工性の悪いものであった。
【０００５】
【発明が解決しようとする課題】
本発明が解決しようとする課題は、天板に固定され流体が通過する流路が形成された水栓と、床板から立ち上がる樹脂管とを、床板と天板との間の空間で接続するようにした水栓の配管接続構造において、樹脂管と水栓との接続箇所を少なくして、かつ少ない部品点数により安定した状態で接続できるようにし、施工性の向上を図ることである。
【０００６】
【課題を解決するための手段】
本発明は請求項１では、天板に固定され流体が通過する流路が形成された水栓と、床板から立ち上がる樹脂管とを、床板と天板との間の空間で接続するようにした水栓の配管接続構造において、前記水栓に剛性の高い金属管を接続し、樹脂管と金属管とを接続することで、樹脂管は金属管を介して水栓に接続し、水栓の流路には流量調節部材を装着したものである。
【０００７】
請求項２では、前記樹脂管と金属管は、ワンタッチで接続可能なクリップにより結合されるものである。
【０００８】
請求項３では、前記流量調節部材は、水栓の本体下部に形成された流路に装着し、天板の上部に露出するようにしたものである。
【０００９】
【発明の実施の形態】
以下、本発明の実施の形態を図に基づいて詳細に説明する。
本発明は図１に示すように、洗面台や流し台等の天板１に固定される水栓３は、縦長の円筒状に形成された本体４と、該本体４の上部に取り付けられ湯水の温度及び流量を調節するためのレバー５と、本体４に対し水平方向に回転自在に外嵌してレバー５により調節された湯水を外部へ吐水する吐水管６とを備え、本体４の下部に形成された基部７を天板１に穿設された取付孔２に挿通し、基部７の外周に形成された雄ねじ部８に天板１の下部からナット９を螺合して固定されている。
【００１０】
図２に示すように、１０は前記本体４の内部に装着された弁機能部で、内部には水流路１６及び湯流路１７に連通する弁室１１が形成されており、該弁室１１にはセラミックスの成形による固定板１２と、該固定板１２と同一素材による可動板１３とを水密的に重ね合わせて内装し、該可動板１３は把手軸１４を介して前記レバー５と連繋しており、該レバー５の操作により前記可動板１３と固定板１２との弁開閉の対応関係を変化させることによって、水，湯又は湯水を吐水管６へ供給することができる。
【００１１】
前記本体４は下部の両側部から水平方向に開口して開口部１８，１８がそれぞれ形成され、該開口部１８には、前記水流路１６又は湯流路１７を通過する水又は湯の流量を制御し、弁機能部１０に供給するための流量調節部材１９がそれぞれ装着されている。該流量調節部材１９は、開口部１８に固定される円筒状のプラグ２０と、該プラグ２０の軸方向に穿設された挿通孔２０ａを挿通して先端に弁体２１ａが固定されたスピンドル２１とからなり、水流路１６，湯流路１７に形成された隔壁１６ａ，１７ａに穿設された連通孔１６ｂ，１７ｂ周面の弁座１６ｃ，１７ｃに対し，弁体２１ａ，２１ａが着座して止水を行なうことができ、流量調節機能と止水機能とを備えている。このように、流量調節部材は、本体下部に形成された流路に装着され、天板の上部に露出しているので、流量調節の操作を天板の下部に潜らなくても容易に行なうことができるものである。
【００１２】
前記基部７の内部には、仕切壁２２により左右に区画された状態で前記水流路１６と湯流路１７とが形成されており、水流路１６の下部には給水金属管２３が、湯流路１７の下部には給湯金属管２４が、互いに下方に向けてそれぞれ接続されている。
【００１３】
前記給水金属管２３，給湯金属管２４は、その用途上、剛性の高いものが要求されるために、肉厚に形成された銅，真鍮等の金属製からなり、中途部を折り曲げて、給水金属管２３と給湯金属管２４との間に、後述する水側樹脂管２５と湯側樹脂管２６の間隔に合わせて、適当な間隔が形成されるようにしている。図３に示すように、給水金属管２３は水側樹脂管２５が結合される入口部２３ａの先端には、後述するクリップ３１を装着するためのフランジ２３ｂが環状に形成され、内周面にシール用のシール部材２３ｃが間隔をおいて複数個装着されている。なお、給湯金属管２４も給水金属管２３と同様に、入口部２４ａの先端にフランジ２４ｂが環状に形成され、内周面にシール部材２４ｃが装着されている。
【００１４】
水側樹脂管２５及び湯側樹脂管２６の２本の樹脂管は、例えば架橋ポリエチレン管，架橋ポリブテン管，その他の軽量かつ柔軟性に富んだ樹脂材からなり、上流側に配置されたヘッダー（図示省略）から水または湯を水栓３へ供給するものであり、図１に示すように床板３２から水栓３に向けて垂直方向に立ち上がり、外周面は床板３２に対し貫通金具３３を挿通した鞘管３４によって覆われて保護されており、鞘管３４から露出した出口部の先端は管継手２７に対し、挿入するのみでワンタッチで接続できるものである。
【００１５】
次に、水側樹脂管２５と管継手２７との接続について図３により説明する。なお、湯側樹脂管と管継手との接続については同一の構成であるので、同一の部材には同一の符号を付して説明を省略する。管継手２７は、水側樹脂管２５の先端が接続される略円筒状の継手本体２８と、該継手本体２８に螺着するナット２９と、該ナット２９と継手本体２８の間に配設される割りリング３０とを備えている。
【００１６】
前記継手本体２８は略円筒状で、一方に前記給水金属管２３に形成された環状のフランジ２３ｂと略同一形状のフランジ２８ａを形成し、該フランジ２８ａの内周側には、前記給水金属管２３の入口部２３ａに水密的に挿入される円筒状の嵌合部２８ｃがフランジ２８ａより突出するように形成され、略中間部の外周面には雄ねじ部２８ｂを形成し、該雄ねじ部２８ｂの内周側には、所定の間隔をおいて前記水側樹脂管２５より小径に形成した円筒状の案内部２８ｄが形成されている。該案内部２８ｄの先端は雄ねじ部２８ｂより突出し、外周面の先端側には溝孔２８ｅ，２８ｅが軸方向に併設して環状に形成され、該溝孔２８ｅ，２８ｅには同一形状のシール部材２８ｆ，２８ｆがそれぞれ装着されている。
【００１７】
前記シール部材２８ｆは水側樹脂管２５の内周面に付着した異物の捕捉と水漏れを防止するためのもので、パッキン，Ｏリング等の弾性材からなり、水側樹脂管２５の先端が案内部２８ｄに外嵌されるとシール部材２８ｆは変形し、水側樹脂管２５の内周面に水密的に密着してシールが確実となるようにしている。
【００１８】
前記ナット２９は、内周面に前記継手本体２８の雄ねじ部２８ｂに螺着する雌ねじ部２９ａが形成され、該雌ねじ部２９ａの奥には、水側樹脂管２５が挿入される開口部２９ｂに向かうにつれて除々に小径にしたテーパー面２９ｃが形成されている。
【００１９】
前記割りリング３０はナット２９のテーパー面２９ｃの内側に挿入されるものであり、軸方向の一部にスリットを形成することで縮径及び拡径が可能で、内周面には水側樹脂管２５を容易に挿入するためのテーパー面３０ａを形成している。
【００２０】
従って、割りリング３０は水側樹脂管２５の挿入時に拡径するので、継手本体２８に容易に挿入させることができるが、水側樹脂管２５を継手本体２８から引き出そうとする力が加わると、割りリング３０は縮径し、継手本体２８から引き出せないようにしている。
【００２１】
前記クリップ３１は弾性力を有する一枚の金属材を折曲して形成され、中央部に一対の長孔３１ａ，３１ａが形成されており、管継手２７の嵌合部２８ｃが給水金属管２３の入口部２３ａに挿入された状態で、給水金属管２３のフランジ２３ｂと管継手２７のフランジ２８ａとを当接させて両フランジ２３ｂ，２８ａを長孔３１ａ，３１ａ内に嵌めこんで挟持し、両物品をワンタッチで離脱不能に接続することができるものである。
【００２２】
次に樹脂管２５，２６を水栓３に接続する構造について、図１及び図３により説明する。鞘管３４から露出している水側樹脂管２５の先端を、管継手２７のナット２９の開口部２９ｂへ挿入し、継手本体２８の案内部２８ｄに外嵌すると、水側樹脂管２５の内周面はシール部材２８ｆ，２８ｆをスムーズに乗り越えて案内部２８ｄの外周面に密着する。この場合、水側樹脂管２５は継手本体２８の案内部２８ｄと割りリング３０の間で挟着され、しかも割りリング３０のテーパー面２９ｃが水側樹脂管２５の外周面を押圧し、水側樹脂管２５を案内部２８ｄの外周面に押圧しているので、シール部材２８ｆ，２８ｆのシールが確実で、ナット２９を緩めないと引き抜くことはできない。
【００２３】
そして、給水金属管２３のフランジ２３ｂと継手本体２８のフランジ２８ａとを互いに重ね合わせた状態で、クリップ３１の長孔３１ａにより両フランジ２３ｂ，２８ａを挟着して管継手２７と水側樹脂管２５を結合する。なお、給水金属管２３と管継手２７をクリップ３１により結合した後に、管継手２７に水側樹脂管２５を接続してもよい。次に、湯側樹脂管２６と給湯金属管２４も同様にクリップ３１により結合させればよい。
【００２４】
【発明の効果】
本発明は請求項１では、天板に固定され流体が通過する流路が形成された水栓と、床板から立ち上がる樹脂管とを、床板と天板との間の空間で接続するようにした水栓の配管接続構造において、前記水栓に剛性の高い金属管を接続し、樹脂管と金属管とを接続することで、樹脂管は金属管を介して水栓に接続し、水栓の流路には流量調節部材を装着した。従って、樹脂管と水栓は剛性の高い金属管を介して接続したので、樹脂管は床板と天板との間で、壁に支持しなくても水又は湯の通過により振動することがなく安定した状態とすることができ、樹脂管を直接金属管に接続することにより施工性を大幅に向上させることができる。
【００２５】
請求項２では、樹脂管と金属管は、ワンタッチで接続可能なクリップにより結合されるので、施工性をさらに向上させることができる。
【００２６】
請求項３では、水栓の流量調節部材は天板の上部に装着されているので、天板の下部で操作する必要がなく、操作を容易に行なうことができる。
【図面の簡単な説明】
【図１】本発明による水栓の配管接続構造の正面図である。
【図２】天板に固定された水栓の拡大縦断面図である。
【図３】樹脂管と金属管の接続要領の説明図である。
【図４】従来技術の説明図である。
【符号の説明】
１　　　　　　天板
３　　　　　　水栓
４　　　　　　本体
１６　　　　　水流路
１７　　　　　湯流路
１９　　　　　流量調節部材
２３　　　　　給水金属管
２４　　　　　給湯金属管
２５　　　　　水側樹脂管
２６　　　　　湯側樹脂管
３１　　　　　クリップ
３２　　　　　床板
【図１】
2004019108.tif 000003
【図２】
2004019108.tif 000004
【図３】
2004019108.tif 000005
【図４】
2004019108.tif 000006